(57)【要約】【課題】いわゆるポゴピンに代表される構造のコンタクトを備え、かつ、簡易な構造で防水性を実現したコネクタを提供する。【解決手段】  コネクタ１００は、ハウジング１０と、第１コンタクト２０と、第２コンタク３０とを備えている。第１コンタクト２０は、いわゆるポゴピン型のコンタクトである。すなわち、この第１コンタクト２０は、前方に突出して平板状の相手接点に接触し相手接点に押されて突出量を減じる第１接触部２１を備えている。また、第２コンタクト３０は、突出した相手接点に接触する平板状の第２接触部３１を有する。さらに、このコネクタ１００は、第１コンタクト２０を取り巻いて第１コンタクト２０とハウジング１０との間を封止するＯリング４２を備えている。【選択図】図２
2017204351.tif 000002
【特許請求の範囲】
【請求項１】
第１ハウジングと、
前方に突出して平板状の相手接点に接触し該相手接点に押されて突出量を減じる第１接触部および該第１接触部の後方に位置し該第１接触部に押されて弾性的に撓むばね部を有し該第１ハウジングに支持された第１コンタクトと、
前記第１コンタクトを取り巻いて該第１コンタクトと前記第１ハウジングとの間を封止する封止部材と、
第２ハウジングと、
突出した相手接点に接触する平板状の第２接触部を有し前記第２ハウジングとの界面が水密状態に該第２ハウジングに支持された第２コンタクトとを備えたことを特徴とするコネクタ。
【請求項２】
前記第１ハウジングと前記第２ハウジングが１つの成形部品からなる一体のハウジングであって、前記第１接触部と前記第２接触部が、当該コネクタを２つ用意したときに、一方のコネクタの前記第１接触部と他方のコネクタの前記第２接触部とが互いに対面して、互いを、互いに接触する相手接点とする姿勢に向き合わせ可能に配置されていることを特徴とする請求項１に記載のコネクタ。
【請求項３】
前記一体のハウジングの、前記第１接触部および前記第２接触部を取り巻く嵌合部の周囲に、該一体のハウジングが取り付けられる機器筐体と当該コネクタとの間を封止する封止部材を備えたことを特徴とする請求項２に記載のコネクタ。
【請求項４】
前記第１ハウジングと前記第２ハウジングが、互いに別体であって前記第１接触部と前記第２接触部を互いに接触する相手接点として互いに嵌合するハウジングであり、
前記第１ハウジングの、前記第１接触部を取り巻く第１嵌合部の周囲に、該第１ハウジングが取り付けられる第１機器筐体との間を封止する封止部材を備え、
前記第２ハウジングの、前記第２接触部を取り巻く第２嵌合部の周囲に、該第２ハウジングが取り付けられる第２機器筐体との間を封止する封止部材を備えたことを特徴とする請求項１に記載のコネクタ。
【請求項５】
前記第２コンタクトの、前記第２ハウジングからの露出部分に、該第２コンタクトと該第２ハウジングとの間を封止する封止材が置かれていることを特徴とする請求項１から４のうちのいずれか１項に記載のコネクタ。
【発明の詳細な説明】
【技術分野】
【０００１】
本発明は、いわゆるポゴピンに代表される、棒状に突出した形状を有しばね付勢されたコンタクトを備えたコネクタに関する。
【背景技術】
【０００２】
いわゆるポゴピンを使ったコネクタが知られている。例えば、特許文献１には、ポゴピン型の第１コンタクトピンと板状の密封要素に固定され第２コンタクトピンとを有するコネクタが開示されている。この特許文献１に開示されたコネクタの場合、第２コネクタピンが固定された板状の密封要素を備えていることにより、防水性を担保している。しかしながら、このコネクタの場合、多数の構成部品を必要とし、また、第２コンタクトピンを密封要素に固定する工程を必要とし、コネクタが複雑化していて、大型化、コスト高となるおそれがある。
【先行技術文献】
【特許文献】
【０００３】
【特許文献１】特表２０１２−５２０５３７号公報
【発明の概要】
【発明が解決しようとする課題】
【０００４】
本発明は、上記事情に鑑み、いわゆるポゴピンに代表される構造のコンタクトを備え、かつ、簡易な構造で防水性を実現したコネクタを提供することを目的とする。
【課題を解決するための手段】
【０００５】
上記目的を達成するための本発明のコネクタは、
第１ハウジングと、
前方に突出して平板状の相手接点に接触しその相手接点に押されて突出量を減じる第１接触部および第１接触部の後方に位置し第１接触部に押されて弾性的に撓むばね部を有し第１ハウジングに支持された第１コンタクトと、
第１コンタクトを取り巻いて第１コンタクトと第１ハウジングとの間を封止する封止部材と、
第２ハウジングと、
突出した相手接点に接触する平板状の第２接触部を有し第２ハウジングとの界面が水密状態に第２ハウジングに支持された第２コンタクトとを備えたことを特徴とする。
【０００６】
本発明のコネクタでは、上記の封止部材を備えていることにより、第１コンタクトと第１ハウジングとの間が封止される。また、本発明のコネクタの場合、第２コンタクトが、第２ハウジングに、例えばインサート成形などにより水密状態に支持されている。本発明のコネクタは、この簡易な構造により、防水性を担保している。
【０００７】
ここで、本発明のコネクタにおいて、第１ハウジングと第２ハウジングが１つの成形部品からなる一体のハウジングであって、第１接触部と第２接触部が、このコネクタを２つ用意したときに、一方のコネクタの第１接触部と他方のコネクタの第２接触部とが互いに対面して、互いを、互いに接触する相手接点とする姿勢に向き合わせ可能に配置されていることが好ましい。
【０００８】
この好ましい形態によれば、互いに異なる形状の一対のコネクタの場合と比べ、製造工程の簡素化、部品管理の簡素化が実現する。
【０００９】
ここで、本発明のコネクタであって第１ハウジングと第２ハウジングを１つの成形部品からなる一体のハウジングとした場合において、この一体のハウジングの、第１接触部および第２接触部を取り巻く嵌合部の周囲に、この一体のハウジングが取り付けられる機器筐体とこのコネクタとの間を封止する封止部材を備えることがさらに好ましい形態である。
【００１０】
こうすることにより、本発明のコネクタとそのコネクタが取り付けられる機器筐体との間についても防水化が図られる。
【００１１】
また、本発明のコネクタにおいて、
第１ハウジングと第２ハウジングが、互いに別体であって第１接触部と第２接触部を互いに接触する相手接点として互いに嵌合するハウジングであり、
第１ハウジングの、第１接触部を取り巻く第１嵌合部の周囲に、第１ハウジングが取り付けられる第１機器筐体との間を封止する封止部材を備え、
第２ハウジングの、第２接触部を取り巻く第２嵌合部の周囲に、第２ハウジングが取り付けられる第２機器筐体との間を封止する封止部材を備えることも好ましい形態である。
【００１２】
本発明は、このように、第１ハウジングと第２ハウジングを別体とし、互いに組み合う２つのコネクタとして構成することも可能である。また、上記の封止部材により、第１機器筐体との間および第２機器筐体との間についても防水化が図られる。
【００１３】
さらに、本発明のコネクタにおいて、上記第２コンタクトの、第２ハウジングからの露出部分に、第２コンタクトと第２ハウジングとの間を封止する封止材が置かれていることも好ましい形態である。
【００１４】
この封止材を置くことにより、第２コンタクトと第２ハウジングとの間をより強固に封止することができる。
【発明の効果】
【００１５】
上記の、本発明によれば、いわゆるポゴピンに代表されるような上記の第１のコンタクトを備え、かつ、簡易な構造で防水性を実現したコネクタを提供することができる。
【図面の簡単な説明】
【００１６】
【図１】本発明の一実施形態であるコネクタの３面図である。
【図２】図１に外観を示すコネクタの断面図である。
【発明を実施するための形態】
【００１７】
以下、本発明の実施の形態について説明する。
【００１８】
図１は、本発明の一実施形態であるコネクタの３面図である。ここで、図１（Ａ）は平面図、図１（Ｂ）は正面図、図１（Ｃ）は側面図である。
【００１９】
また、図２は、図１に外観を示すコネクタの断面図である。ここで、図２（Ａ），（Ｂ）は、それぞれ、図１に示す矢印Ａ−Ａ，Ｂ−Ｂ沿う断面図である。ただし、コンタクトは断面されていない。
【００２０】
このコネクタ１００は、ハウジング１０と、第１コンタクト２０と、第２コンタクト３０とを備えている。
【００２１】
第１コンタクト２０は、いわゆるポゴピンであって、ハウジング１０に圧入により固定されている。この第１コンタクト２０は、ピン形状を有する第１接触部２１を備えている。この第１接触部２１は、ハウジング１０の前面よりもさらに前方（図２（Ａ）の左方）に突出している。この第１接触部２１は、その後端部が筒形状の基部２２の中に入り込んでいる。この基部２２には不図示のばね部材が内蔵されていて、第１接触部２１は、突出の向き（図２（Ａ）の左方）に付勢されている。そして、この第１接触部２１は、平板状の相手接点に接触して相手接点に押され、基部２２内に入り込む向き（図２（Ａ）の右方）に移動してその突出量を減じる。
【００２２】
また、このコネクタ１００には、ばね片４１が備えられている。このばね片４１の第１端部４１１は、第１コンタクト２０に所定の接触圧で接していて、第２端部４１２は、ハウジング１０の後方に突き出ている。ここで、このコネクタ１００は、図１（Ａ），（Ｃ）および図２（Ａ），（Ｂ）のそれぞれに２点鎖線で示す回路基板２００と組み合わされる。この回路基板２００は、これらの図に示す通り、ハウジング１０の、後方に突出した支持部１２と、ばね片４１の第２端部４１２とに挟まれた位置に配置される。そして、ばね片４１の第２端部４１２は、その回路基板２００に接し、これにより、第１コンタクト２０と回路基板２００とが電気的に接続されている。
【００２３】
また、このコネクタ１００は、第１コンタクト２０を取り巻くＯリング４２を備えている。そして、このＯリング４２により、第１コンタクト２０とハウジング１０との間が水密に封止されている。このＯリング４２は、本発明にいう、第１コンタクトと第１ハウジングとの間を封止する封止部材の一例に相当する。
【００２４】
また、このコネクタ１００の第２コンタクト３０は、ハウジング１０にインサート成形されたコンタクトである。この第２コンタクト３０は、ハウジング１０の開口１１から露出した平板状の第２接触部３１を有する。この第２コンタクト３０の後端部３２は、ハウジング１０の後方に突き出ている。この後端部３２は、図２（Ａ）に示すばね片４１の第２端部４１２と同じ形状を有する。回路基板２００は、ハウジング１０の支持部１２とばね片４１の第２端部４１２との間に挟まれるとともに、ハウジング１０の支持部１２と第２コンタクト３０の後端部３２との間に挟まれている。そして、この第２コンタクト３０の後端部３２は、この第２コンタクト３０と回路基板２００との間の電気的な接触を担っている。
【００２５】
また、このコネクタ１００には、封止材４３が置かれている。この封止材４３は、第２コンタクト３０の、開口１１を除くハウジング１０からの露出部分に塗られたものである。第２コンタクト３０はハウジング１０にインサート成形されているため、この封止材４３がなくてもある程度の防水性が保たれているが、本実施形態では、この封止材４３の塗布により、その防水の信頼度をさらに向上させている。
【００２６】
また、このコネクタ１００は、ハウジング１０の、第１接触部２１と第２接触部３１が配列された嵌合部１３を取り巻くように配置されたＯリング４４を備えている。このコネクタ１００は、機器に搭載され、図１（Ａ），（Ｃ）および図２（Ａ），（Ｂ）のそれぞれに２点鎖線で示すように、その機器の筐体３００の開口３０１に嵌め込まれた状態に固定される。
【００２７】
Ｏリング４４は、このコネクタ１００のハウジング１０と機器筐体３００の開口３０１の内壁面との間に挟まれて、このコネクタ１００と機器筐体３００との間を水密に封止している。このＯリング４４は、本発明にいう機器筐体とコネクタとの間を封止する封止部材の一例に相当する。
【００２８】
このように、本実施形態のコネクタ１００によれば、Ｏリング等の簡易な構造で防水性を担保している。
【００２９】
ここで、このコネクタ１００には、第１コンタクト２０と第２コンタクト３０が交互に３つずつ、第１接触部２１と第２接触部３１を前方に向けた姿勢で、配置されている。そこで、このコネクタ１００と同型のコネクタ１００をもう１つ用意する。すると、一方のコネクタ１００の第１接触部２１と、他方のコネクタ１００の第２接触部３１を互いに対面させることができる。すなわち、本実施形態のコネクタ１００は、２つの同型のコネクタ１００を互いに向き合わせて使用される。そして、このコネクタ１００は、互いに対面した第１コンタクト２０の第１接触部２１と第２コンタクト３０の第２接触部３１を互いに接触する相手接点とするコネクタである。第１接触部２１と第２接触部３１を互いに接触させると、棒状に突き出た第１接触部２１が平板状の第２接触部３１に押されてその突出量を減じ、ばね付勢により、第１接触部２１と第２接触部３１が所定の接触圧で接触する。
【００３０】
ここで、本実施形態のコネクタ１００には、第１コンタクト２０と第２コンタクト３０が交互に３つずつ配列されている。ただし、本発明のコネクタにおいて、この配列の個数は３つずつに限られるものではなく、１つずつ、２つずつ、あるいは４つずつなど、任意の個数配列されたものであってもよい。
【００３１】
また、本実施形態のコネクタ１００には、第１コンタクト２０と第２コンタクト３０が交互に配列されている。ただし、本発明のコネクタにおいて、第１コンタクト２０と第２コンタクト３０の配列は交互である必要はない。例えば、第１コンタクト２０を３つ配列し、その第１コンタクト２０の配列の隣に第２コンタクト３０を３つ配列してもよい。その場合も、同型のコネクタを２つ用意して向かい合わせ、第１コンタクト２０と第２コンタクト３０を互いに対面させることができる。
【００３２】
さらに、本実施形態のコネクタ１００には、第１コンタクト２０と第２コンタクト３０が１列に配列されている。ただし、本発明のコネクタにおいて、第１コンタクト２０と第２コンタクト３０の配列は１列である必要はない。例えば、２列あるいは３列等、複数列配列されていてもよい。
【００３３】
さらに、本実施形態のコネクタ１００は、第１コンタクト２０と第２コンタクト３０の双方を１つのハウジング１０内に備えたコネクタである。ただし、本発明のコネクタは、一方のハウジング（第１ハウジング）に第１コンタクト２０のみを配列し、他方のハウジング（第２ハウジング）に第２コンタクト３０のみを配列してもよい。このようにハウジングを分けた構成の場合も、第１コンタクト２０と第２コンタクト３０を対面させることができる。第１ハウジングに第１コンタクト２０のみを配列し、第２ハウジングに第２コンタクト３０のみを配列する構成は、上述の実施形態のコネクタ１００の説明および図面から自明である。したがって、第１ハウジングと第２ハウジングとに分けた構成についての、これ以上の説明は省略する。
【符号の説明】
【００３４】
１０    ハウジング
１１    開口
１２    支持部
１３    嵌合部
２０    第１コンタクト
２１    第１接触部
２２    基部
３０    第２コンタクト
３１    第２接触部
３２    後端部
４１    ばね片
４１１  第１端部
４１２  第２端部
４２    Ｏリング
４３    封止材
４４    Ｏリング
１００  コネクタ
２００  回路基板
３００  機器筐体
３０１  開口
【図１】
2017204351.tif 000003
【図２】
2017204351.tif 000004